(57)【特許請求の範囲】
【請求項１】
狭い溝の中でも走行可能な１本のみのクローラ７により構成したクローラ式の自走式走行機構Ａの、該１本のクローラ７の上部にエンジンＥを載置し、該エンジンＥの前部に変速ミッションケースＭを配置し、該自走式走行機構Ａを構成するクローラ７のクローラフレーム１１が、そのままクローラ７の前方に突出され、該クローラフレーム１１の突出先端前部に掻上げ板１を配置し、
該掻上げ板１の後端より上方へむけて、クローラ７の上方位置に上方掻上げコンベア２を傾斜立設し、該上方掻上げコンベア２の終端より、同じくクローラ７の上方位置に配置した前後方向に略水平の搬送コンベア３へ受け継ぎ、該搬送コンベア３の後端の下方で、自走式走行機構Ａの後方位置に泥土受け装置４を配置し、該泥土受け装置４は、泥土を落下させ投入する透水性の泥土袋５により構成したことを特徴とする溝等の泥土掻上機。
【発明の詳細な説明】
【０００１】
【発明の属する技術分野】
本発明は、用水路や排水路等の溝や小さな川に溜まった泥土を掻き上げる装置に関する。
【０００２】
【従来の技術】
従来、用水路や排水路等を清掃する場合には、地区住民が総出で、鍬やスコップ等を利用して、人海戦術で泥土を掻き上げることが行われていた。
このように、地区住民が動員できる場合は良いが、近年は地区のボランティア的な仕事に住民が集まりにくくなり、用水路や排水路等の泥土の掻き上げが疎かになることが多くなったのである。
【０００３】
【発明が解決しようとする課題】
本発明は、このような場合において、集まった住民の数が少なくても、機械を使用して簡単に長い用水路や排水路等の泥土掻き上げが出来るようにした溝等の泥土掻上機を提供するものである。
【０００４】
【課題を解決するための手段】
本発明が解決しようとする課題は以上の如くであり、次に該課題を解決するための手段を説明する。
狭い溝の中でも走行可能な１本のみのクローラ７により構成したクローラ式の自走式走行機構Ａの、該１本のクローラ７の上部にエンジンＥを載置し、該エンジンＥの前部に変速ミッションケースＭを配置し、該自走式走行機構Ａを構成するクローラ７のクローラフレーム１１が、そのままクローラ７の前方に突出され、該クローラフレーム１１の突出先端前部に掻上げ板１を配置し、該掻上げ板１の後端より上方へむけて、クローラ７の上方位置に上方掻上げコンベア２を傾斜立設し、該上方掻上げコンベア２の終端より、同じくクローラ７の上方位置に配置した前後方向に略水平の搬送コンベア３へ受け継ぎ、該搬送コンベア３の後端の下方で、自走式走行機構Ａの後方位置に泥土受け装置４を配置し、該泥土受け装置４は、泥土を落下させ投入する透水性の泥土袋５により構成したものである。
【０００５】
【発明の実施の形態】
次に本発明の実施の形態を説明する。
図１は溝等の泥土掻上機の全体側面図、図２は溝等の泥土掻上機の主要レイアウトを示す側面図、図３は溝等の泥土掻上機の左斜め前からの斜視図である。
【０００６】
図４は同じく溝等の泥土掻上機の側面図、図５は掬上げ板１と上方掻上げコンベア２の部分を示す前面斜視図、図６は上方掻上げコンベア２と搬送コンベア３の駆動部を示す側面斜視図、図７は自走式走行機構Ａの駆動部を示す拡大側面図である。
【０００７】
図８は２本のタイヤ駆動式の溝等の泥土掻上機の後面斜視図、図９は同じくタイヤ駆動式の溝等の泥土掻上機の前面斜視図、図１０は２本のクローラ式の溝等の泥土掻上機の側面図、図１１は図１０の左方向から見た概略図である。
【０００８】
図１から図８までにおいては、自走式走行機構Ａをクローラ式の走行機構に構成している。図８と図９の溝等の泥土掻上機においては、２本の車輪式の走行機構を構成している。
図１から図７のクローラ式の走行機構は、１本のみのクローラ７によるクローラ式走行機構であり、狭い溝の中でも、１本のクローラ７が嵌装できれば、走行を可能としている。１本でありながら、クローラ７であるので、左右に倒れる心配はなく安定した走行を行うことができる。
【０００９】
タイヤ式として２本のタイヤで左右の安定を図ろうとすると、どうしても２本のタイヤでは幅が広くなり過ぎるので、図８と図９に示すような、幅が大きくなり、幅の広い用水路や排水路等や川等で使用する大型の溝等の泥土掻上機となってしまうのである。
図１から図７においては、１本のクローラ７であるので、幅の狭い用水路や排水路等でも作業ができ、かつクローラ７であるので、左右の安定性が良く、倒れることが無いのである。
【００１０】
図１と図２において、クローラ７により構成した自走式走行機構Ａを備えた、溝等の泥土掻上機について説明する。
クローラ７の上に機体フレーム１０を設けており、該機体フレーム１０の上にエンジンＥを搭載している。エンジンＥの前部に変速ミッションケースＭを配置しており、エンジンＥからベルトにより変速ミッションケースＭに動力伝達している。該変速ミッションケースＭから変速後の回転が、チェーンケース８内のチェーンによりクローラ７の駆動軸に動力伝達している。
【００１１】
前記クローラ７のクローラフレーム１１がそのまま前方へ突出されて、該フレーム１１’の突出先端部分に掬上げ板１が固定されている。また該フレーム１１’の先端部分に上方掻上げコンベア２の下端の従動回転ローラ１２が枢支されている。該従動回転ローラ１２に上方掻上げコンベア２の下端が巻回されており、上方掻上げコンベア２の上端は、駆動ローラ１３に巻回されている。駆動ローラ１３は入力スプロケット１４により回転駆動される入力軸１５により駆動されている。該入力軸１５の上のスプロケットから搬送コンベア３の後端にもチェーン１６が巻回されており、搬送コンベア３が後端部分から駆動されている。
【００１２】
変速ミッションケースＭの側方に配置された出力軸から、前記入力スプロケット１４にチェーン１７が巻回されており、上方掻上げコンベア２と搬送コンベア３を駆動すべく構成されている。
本発明は、自走式走行機構Ａにより機体が前進すると共に、掬上げ板１が泥土を掬い上げて、上方掻上げコンベア２の表面に立設された搬送板２ａにより、泥土を上方まで掻き上げる。
そして、上方掻上げコンベア２の上端で、一度、搬送コンベア３の上に泥土を落下させ、搬送コンベア３の表面に立設された搬送板３ａで、泥土を後方まで搬送するのである。
【００１３】
このように、掬上げ板１から上方掻上げコンベア２を介して、搬送コンベア３に受け継ぎ、泥土受け装置４まで搬送する間に、上方掻上げコンベア２や搬送コンベア３の側方から、掻き上げた泥土が零れるのを阻止する為に、上方掻上げコンベア２の両側には側面ガイド板１８・１８が立設配置されており、搬送コンベア３の側方にも、側面ガイド板１８・１８に連設された側面ガイド板１９・１９が立設配置されている。
【００１４】
そして、搬送コンベア３の後端の位置は、エンジンＥや変速ミッションケースＭやクローラ７の上方の後部に位置しており、操作ハンドルＨの前となっているので、この位置から、下方に泥土袋５により構成した泥土受け装置４の中に、掻き上げた泥土を落下させるのである。該泥土受け装置４は、袋ではなくて、泥土投入缶であっても良いのである。
前記泥土受け装置４は、袋載置台６と透水性の泥土袋５により構成され、機体フレーム１０から後方に突出した袋載置台６の上に底面を載置し、上端は、袋受け杆２０により吊るされており、泥土袋５の口が開くように袋受け杆２０が構成されている。
【００１５】
次に、図８と図９のタイヤ２１・２１が２本の構成について説明する。
この場合には、幅の広い用水路や排水路等で使用する大型の溝等の泥土掻上機であり、２輪のタイヤ２１・２１により走行し、袋載置台６の下方には、泥土袋５の重量を支持する為のキャスター輪２２を配置している。
掬上げ板１と上方掻上げコンベア２と搬送コンベア３と、側面ガイド板１８・１８及び側面ガイド板１９・１９の構成は、クローラ７により走行する小型の溝等の泥土掻上機の場合と同様に構成されている。
【００１６】
次に、図１０と図１１のクローラ７・７が２本の構成について説明する。
この場合には、クローラ７・７を両側に設け、溝を跨ぐようにしてクローラ７・７を配置したものであり、作業者が溝に入らなくてもよいようにしている。上方掻上げコンベア２は油圧シリンダ等の昇降手段Ｙで、昇降可能に構成されている。
【００１７】
【発明の効果】
本発明は以上の如く構成したので、次のような効果を奏するのである。
第１に、狭い溝の中でも走行可能な１本のみのクローラ７により構成したクローラ式の自走式走行機構Ａの、該１本のクローラ７の上部にエンジンＥを載置し、該エンジンＥの前部に変速ミッションケースＭを配置し、該自走式走行機構Ａを構成するクローラ７のクローラフレーム１１が、そのままクローラ７の前方に突出され、該クローラフレーム１１の突出先端前部に掻上げ板１を配置したので、１本のみのクローラ７によるクローラ式走行機構であり、狭い溝の中でも、１本のクローラ７が嵌装できれば、走行を可能としている。１本でありながら、クローラ７であるので、左右に倒れる心配はなく安定した走行を行うことができる。
また、タイヤ式として２本のタイヤで左右の安定を図ったり、左右のクローラによる自走式走行遡行とすると、どうしても２本のタイヤ、２本のクローラでは幅が広くなり過ぎるので、図８と図９に示すような、幅が大きくなり、幅の広い用水路や排水路等や川等で使用する大型の溝等の泥土掻上機となってしまうのである。
本発明の如く、図１から図７においては、１本のクローラ７であるので、幅の狭い用水路や排水路等でも作業ができ、かつクローラ７であるので、左右の安定性が良く、倒れることが無いのである。
【００１８】
第２に、該掻上げ板１の後端より上方へむけて、クローラ７の上方位置に上方掻上げコンベア２を傾斜立設し、該上方掻上げコンベア２の終端より、同じくクローラ７の上方位置に配置した前後方向に略水平の搬送コンベア３へ受け継ぐべく構成したので、用水路や排水路等の泥土を上方掻上げコンベア２により掻き上げる途中で、搬送板２ａや搬送板３ａの部分で、水分を分離し、含水率の低い泥土として、泥土受け装置４の泥土袋５の内部に収納して、廃棄することが出来るのである。
【００１９】
第３に、該搬送コンベア３の後端の下方で、自走式走行機構Ａの後方位置に泥土受け装置４を配置し、該泥土受け装置４は、泥土を落下させ投入する透水性の泥土袋５により構成したので、透水性の泥土袋５内に投入した泥土から、水分が袋を通過して出て行くので、この泥土袋５の内部に残るのは、更に含水率の低い泥土とすることが出来るのである。
【図面の簡単な説明】
【図１】  溝等の泥土掻上機の全体側面図。
【図２】  溝等の泥土掻上機の主要レイアウトを示す側面図。
【図３】  溝等の泥土掻上機の左斜め前からの斜視図。
【図４】  同じく溝等の泥土掻上機の側面図。
【図５】  掬上げ板１と上方掻上げコンベア２の部分を示す前面斜視図。
【図６】  上方掻上げコンベア２と搬送コンベア３の駆動部を示す側面斜視図。
【図７】  自走式走行機構Ａの駆動部を示す拡大側面図。
【図８】  ２本のタイヤ駆動式の溝等の泥土掻上機の後面斜視図。
【図９】  同じくタイヤ駆動式の溝等の泥土掻上機の前面斜視図。
【図１０】  ２本のクローラ式の溝等の泥土掻上機の側面図。
【図１１】  図１０の左方向から見た概略図。
【符号の説明】
１  掬上げ板
２  上方掻上げコンベア
３  搬送コンベア
４  泥土受け装置
５  泥土袋
６  袋載置台
７  クローラ
８  チェーンケース
１０  機体フレーム
１１  クローラフレーム
１２  従動回転ローラ
１３  駆動ローラ
１４  入力スプロケット
１５  入力軸
１８，１９  側面ガイド板
【図１】
0003720145.tif 000002
【図２】
0003720145.tif 000003
【図３】
0003720145.tif 000004
【図４】
0003720145.tif 000005
【図５】
0003720145.tif 000006
【図６】
0003720145.tif 000007
【図７】
0003720145.tif 000008
【図８】
0003720145.tif 000009
【図９】
0003720145.tif 000010
【図１０】
0003720145.tif 000011
【図１１】
0003720145.tif 000012